(57)【要約】【課題】柵の高さを調節でき、柵を開いた際に足元に障害物が残らないようにすることが可能な構成を備えた仕切り柵を提供する。【解決手段】仕切り柵１０は、支柱１Ｌ，１Ｒと、上段ロック部５Ｌ，５Ｒを介して支柱１Ｌ，１Ｒに取り付けられる上段部材４と、下段ロック部７Ｌ，７Ｒを介して支柱１Ｌ，１Ｒに取り付けられる下段部材６と、一端が上段部材４に取り付けられ、他端が下段部材６に取り付けられたシート部材８とを備える。上段ロック部５Ｌ，５Ｒは、上段部材４を支柱１Ｌ，１Ｒに固定する固定状態と、支柱１Ｌ，１Ｒに対する上段部材４のスライド移動を許容する非固定状態とを形成可能であり、下段ロック部７Ｌ，７Ｒも、下段部材６を支柱１Ｌ，１Ｒに固定する固定状態と、支柱１Ｌ，１Ｒに対する下段部材６のスライド移動を許容する非固定状態とを形成可能である。【選択図】図１
2018003487.tif 000002
【特許請求の範囲】
【請求項１】
互いの間に間隔を空けて平行に配置される一対の支柱と、
棒状の形状を有し、両端に上段ロック部がそれぞれ設けられ、両端の前記上段ロック部を介して前記一対の支柱に取り付けられる上段部材と、
棒状の形状を有し、両端に下段ロック部がそれぞれ設けられ、両端の前記下段ロック部を介して前記一対の支柱に取り付けられる下段部材と、
前記一対の支柱と前記上段部材と前記下段部材との内側に形成される空間を覆うように配置され、一端が前記上段部材に取り付けられ、他端が前記下段部材に取り付けられたシート部材と、を備え、
前記上段ロック部は、前記上段部材を前記一対の支柱に固定する固定状態と、前記一対の支柱に対する前記上段部材のスライド移動を許容する非固定状態とを形成可能であり、
前記下段ロック部も、前記下段部材を前記一対の支柱に固定する固定状態と、前記一対の支柱に対する前記下段部材のスライド移動を許容する非固定状態とを形成可能である、
仕切り柵。
【請求項２】
前記上段部材および前記下段部材は、これらの長さを調整可能に構成されている、
請求項１に記載の仕切り柵。
【請求項３】
前記シート部材は、ロール式カーテンから構成されている、
請求項１または２に記載の仕切り柵。
【請求項４】
前記ロール式カーテンは、前記上段部材に取り付けられる固定端と、前記下段部材に設けられた巻き取り部と、を有している、
請求項３に記載の仕切り柵。
【請求項５】
前記下段部材には、ストッパ溝が設けられ、
前記巻き取り部は、前記ストッパ溝に係脱可能なストッパ金具を有しており、
前記ストッパ金具が前記ストッパ溝に係止することによって、前記巻き取り部の回転が規制される、
請求項４に記載の仕切り柵。
【請求項６】
前記ロール式カーテンの前記固定端の側には面ファスナーが設けられており、
前記ロール式カーテンの前記固定端の側は、袖形状を呈するように折り返され、前記面ファスナーによって前記袖形状が保持され、前記袖形状の内側に前記上段部材が挿通されている、
請求項４または５に記載の仕切り柵。
【発明の詳細な説明】
【技術分野】
【０００１】
本発明は、空間を仕切ることが可能な仕切り柵に関する。
【背景技術】
【０００２】
仕切り柵は、空間を仕切るように配置されることによって、たとえば安全性を向上させる安全柵として機能する。仕切り柵は、用途に応じて目隠し手段として機能したり、標示手段として機能したりもする。室内で使用される仕切り柵は、幼児やペットの移動や侵入を規制する。仕切り柵は、網戸や、オフィス内のブラインドやパーテーションとしても使用される。工場の中では、いわゆるチェーン式の安全柵も多用されているが、空間を仕切ることが可能な仕切り柵は、目隠し機能や標示機能を兼ね備えた安全柵としても用いられる。
【０００３】
特開２００２−０２１３７６号公報（特許文献１）に開示された仕切り柵は、一対の支柱と、一対の支柱の下端同士を連結する下枠と、これらの内側に配置された開閉式（ヒンジ式）の扉とを備えている。特開２００７−０１４５８７号公報（特許文献２）に開示された仕切り柵は、四角の枠形状を呈するように組み立てられた４本の棒状部材と、これらの内側に配置された伸縮可能な保護部材とを備えている。
【０００４】
特許文献１に開示された仕切り柵は、柵の高さを調節することができない。これに対して特許文献２に開示された仕切り柵においては、４本の棒状部材が四角の枠形状を呈するように組み立てられ、これらのうち、上段に位置する部材（以下、上段部材という）が上下方向にスライド移動可能である。上段部材の両端には、レバーによって操作されるロック機構がそれぞれ設けられている。仕切りを開放する際には、レバー操作によってロックを解除し、上段部材を下降させる。通行者は、高さの低くなった仕切り柵を跨ぐことで、通行可能となる。
【０００５】
仕切り柵とは技術分野が異なるが、特開２０１１−２５２３６３号公報（特許文献３）には、梯子の踏桟を、支柱の任意の位置に固定することが可能なロック装置が開示されている。特開２０１０−２０３０４６号公報（特許文献４）には、柵としての機能は有していないが、窓の遮光、室内の目隠し、あるいは仕切り等の用途に用いることが可能な吊り下げ式のロールカーテンが開示されている。
【先行技術文献】
【特許文献】
【０００６】
【特許文献１】特開２００２−０２１３７６号公報
【特許文献２】特開２００７−０１４５８７号公報
【特許文献３】特開２０１１−２５２３６３号公報
【特許文献４】特開２０１０−２０３０４６号公報
【発明の概要】
【発明が解決しようとする課題】
【０００７】
特開２００２−０２１３７６号公報（特許文献１）に開示された仕切り柵は、ヒンジによって支持された開閉扉の構造を有しており、柵の高さを調節することができない。また、開閉扉の下には、一定の高さを有する下枠が常に存在している。開閉扉を開けたとしても、通路上には下枠が障害物として残存している。通行する人は下枠を跨ぐ必要があり、つま先などを下枠にひっかけてしまう可能性もある。
【０００８】
特開２００７−０１４５８７号公報（特許文献２）に開示された仕切り柵は、４本の棒状部材が四角の枠形状を呈するように組み立てられる。これらのうち、上段に位置する部材が上下方向にスライド移動可能であるため、柵の高さを調節することができる。しかしながら、下段部材が固定式であるため、一定の高さを有する下段部材が常に足元に存在することとなる。上段部材の位置を下げて柵の高さを低くすることにより通行可能となるが、通路上には障害物が残存し、通行する人は障害物を跨ぐ必要があり、つま先などをこの障害物にひっかけてしまう可能性がある。
【０００９】
本発明は、上述のような実情に鑑みて創作されたものであって、柵の高さを調節できるだけでなく、柵を開いた際に足元に障害物が残らないようにすることが可能な構成を備えた仕切り柵を提供することを目的とする。
【課題を解決するための手段】
【００１０】
本発明に基づく仕切り柵は、互いの間に間隔を空けて平行に配置される一対の支柱と、棒状の形状を有し、両端に上段ロック部がそれぞれ設けられ、両端の上記上段ロック部を介して上記一対の支柱に取り付けられる上段部材と、棒状の形状を有し、両端に下段ロック部がそれぞれ設けられ、両端の上記下段ロック部を介して上記一対の支柱に取り付けられる下段部材と、上記一対の支柱と上記上段部材と上記下段部材との内側に形成される空間を覆うように配置され、一端が上記上段部材に取り付けられ、他端が上記下段部材に取り付けられたシート部材と、を備え、上記上段ロック部は、上記上段部材を上記一対の支柱に固定する固定状態と、上記一対の支柱に対する上記上段部材のスライド移動を許容する非固定状態とを形成可能であり、上記下段ロック部も、上記下段部材を上記一対の支柱に固定する固定状態と、上記一対の支柱に対する上記下段部材のスライド移動を許容する非固定状態とを形成可能である。
【００１１】
上記仕切り柵において好ましくは、上記上段部材および上記下段部材は、これらの長さを調整可能に構成されている。
【００１２】
上記仕切り柵において好ましくは、上記シート部材は、ロール式カーテンから構成されている。
【００１３】
上記仕切り柵において好ましくは、上記ロール式カーテンは、上記上段部材に取り付けられる固定端と、上記下段部材に設けられた巻き取り部と、を有している。
【００１４】
上記仕切り柵において好ましくは、上記下段部材には、ストッパ溝が設けられ、上記巻き取り部は、上記ストッパ溝に係脱可能なストッパ金具を有しており、上記ストッパ金具が上記ストッパ溝に係止することによって、上記巻き取り部の回転が規制される。
【００１５】
上記仕切り柵において好ましくは、上記ロール式カーテンの上記固定端の側には面ファスナーが設けられており、上記ロール式カーテンの上記固定端の側は、袖形状を呈するように折り返され、上記面ファスナーによって上記袖形状が保持され、上記袖形状の内側に上記上段部材が挿通されている。
【発明の効果】
【００１６】
上記の構成によれば、柵の高さを調節できるだけでなく、柵を開いた際に足元に障害物が残らないようにすることが可能となる。
【図面の簡単な説明】
【００１７】
【図１】実施の形態における仕切り柵１０を示す正面図である。
【図２】実施の形態における仕切り柵１０に備えられる上段ロック部５Ｌ，５Ｒ（固定状態）などを拡大して示す正面図である。
【図３】実施の形態における仕切り柵１０に備えられる上段ロック部５Ｌ，５Ｒ（非固定状態）などを拡大して示す正面図である。
【図４】図１中のＩＶ−ＩＶ線に沿った矢視断面図である。
【図５】図１中のＶ−Ｖ線に沿った矢視断面図である。
【図６】実施の形態における仕切り柵１０に備えられる下段部材６および巻き取り部８Ｂを模式的に示す斜視図である。
【図７】実施の形態における仕切り柵１０の設置態様１を示す正面図である。
【図８】実施の形態における仕切り柵１０の設置態様２を示す正面図である。
【図９】実施の形態における仕切り柵１０の設置態様３を示す正面図である。
【図１０】実施の形態の変形例における仕切り柵１０を示す正面図である。
【発明を実施するための形態】
【００１８】
実施の形態について、以下、図面を参照しながら説明する。同一の部品および相当部品には同一の参照番号を付し、重複する説明は繰り返さない場合がある。
【００１９】
［実施の形態］
図１は、実施の形態における仕切り柵１０を示す正面図である。仕切り柵１０は、一対の支柱１Ｌ，１Ｒ、上段部材４、下段部材６、シート部材８を備える。仕切り柵１０は、たとえば、天井２１、壁面２２、床面２３、壁面２４の間に形成された通路上に配置される。
【００２０】
一対の支柱１Ｌ，１Ｒは、床面２３から天井２１に向かって略垂直方向に起立しており、互いの間に水平方向の間隔を空けるようにして平行に配置される。支柱１Ｌ，１Ｒの長さは、たとえば１５００ｍｍ〜２０００ｍｍである。支柱１Ｌ，１Ｒの上端には、圧接部２Ｌ，２Ｒが設けられる。支柱１Ｌ，１Ｒの下端には、圧接部３Ｌ，３Ｒが設けられる。
【００２１】
圧接部２Ｌ，２Ｒ，３Ｌ，３Ｒは、たとえばボールねじから構成される。圧接部２Ｌ，２Ｒ，３Ｌ，３Ｒを回転させることによって、支柱１Ｌ，１Ｒの全体長さを調節することができる。圧接部２Ｌ，２Ｒ，３Ｌ，３Ｒの突っ張り力によって、支柱１Ｌ，１Ｒは、天井２１と床面２３との間で固定される。
【００２２】
（上段部材４）
図１に示すように、上段部材４は、棒状の形状を有し、その両端には上段ロック部５Ｌ，５Ｒがそれぞれ設けられる。上段部材４は、小径部４Ａおよび大径部４Ｂを含む。小径部４Ａ、大径部４Ｂは、いずれも筒状の形状を有し、小径部４Ａは大径部４Ｂの中に差し込まれる。
【００２３】
螺合や摩擦嵌合などの各種の固定構造によって、小径部４Ａの大径部４Ｂに対する位置を固定可能である。小径部４Ａの大径部４Ｂからの突出量を増減させることによって、上段部材４の全体長さを調整できる。支柱１Ｌ，１Ｒの間の距離に応じて（仕切り柵１０の幅に応じて）、上段部材４の全体長さが適宜調整される。上段部材４の全体長さを調整可能であるという構成は、必要に応じて採用することが可能である。
【００２４】
図２は、仕切り柵１０に備えられる上段ロック部５Ｌ，５Ｒ（固定状態）などを拡大して示す正面図である。上段部材４は、上段ロック部５Ｌ，５Ｒを介して支柱１Ｌ，１Ｒに取り付けられる。上段ロック部５Ｌ，５Ｒは、上段部材４を支柱１Ｌ，１Ｒに固定する固定状態（図２に示す状態）と、支柱１Ｌ，１Ｒに対する上段部材４のスライド移動を許容する非固定状態（図３に示す状態）とを形成可能である。
【００２５】
図２を参照して、具体的には、支柱１Ｌ，１Ｒ（レールラック）は、長手方向（ここでは鉛直方向）に沿って延びるガイドレール１１を有しており、支柱１Ｌ，１Ｒの内部には、上段部材４や下段部材６の取付高さを決めるための複数の突起１２が設けられている（図４，図５も参照）。
【００２６】
上段部材４の支柱１Ｌ側に位置する端部４Ｔは、支柱１Ｌのガイドレール１１を挟持しており、上段部材４の支柱１Ｒ側に位置する端部４Ｔは、支柱１Ｒのガイドレール１１を挟持している。当該挟持によって、上段部材４は支柱１Ｌ，１Ｒに対してスライド移動することができる。
【００２７】
上段ロック部５Ｌ，５Ｒは、挟持部５１、凹部５２、操作部５３、付勢バネ５４を有している。付勢バネ５４によって、上段ロック部５Ｌ，５Ｒの挟持部５１は、それぞれ、支柱１Ｌ，１Ｒに近づく方向（矢印ＡＲ１方向）に付勢されている。凹部５２は、挟持部５１の外側端に設けられている。凹部５２が突起１２に係合することによって、上段部材４（小径部４Ａおよび大径部４Ｂ）の両端は、上段ロック部５Ｌ，５Ｒを介して支柱１Ｌ，１Ｒに固定されることとなる。この固定状態は、付勢バネ５４の矢印ＡＲ１方向への付勢力によって保持される。
【００２８】
図３は、仕切り柵１０に備えられる上段ロック部５Ｌ，５Ｒ（非固定状態）などを拡大して示す正面図である。図３に示すように、操作部５３に手指などを挿入し、付勢バネ５４の付勢力に抗して、上段ロック部５Ｌ，５Ｒを矢印ＡＲ２方向に移動させる。これにより、凹部５２は突起１２から離れ、非固定状態が形成される。上段部材４は、支柱１Ｌ，１Ｒに対してスライド移動することが可能となる。固定状態において、上段部材４を支柱１Ｌ，１Ｒに確実に固定するためには、たとえば特開２０１１−２５２３６３号公報（特許文献３）に開示されているような、二重ロック構造を備えたロック装置が上段ロック部５Ｌ，５Ｒとして用いられてもよい。
【００２９】
（下段部材６）
図１を再び参照して、下段部材６は、棒状の形状を有し、その両端には下段ロック部７Ｌ，７Ｒがそれぞれ設けられる。下段部材６も、小径部６Ａおよび大径部６Ｂを含む。小径部６Ａ、大径部６Ｂは、いずれも筒状の形状を有し、小径部６Ａは大径部６Ｂの中に差し込まれる。
【００３０】
螺合や摩擦嵌合などの各種の固定構造によって、小径部６Ａの大径部６Ｂに対する位置を固定可能である。小径部６Ａの大径部６Ｂからの突出量を増減させることによって、下段部材６の全体長さを調整できる。支柱１Ｌ，１Ｒの間の距離に応じて（仕切り柵１０の幅に応じて）、下段部材６の全体長さが適宜調整される。下段部材６の全体長さを調整可能であるという構成は、必要に応じて採用することが可能である。
【００３１】
上段部材４の場合と同様に、下段部材６は、下段ロック部７Ｌ，７Ｒを介して支柱１Ｌ，１Ｒに取り付けられる。下段ロック部７Ｌ，７Ｒも、上段ロック部５Ｌ，５Ｒの場合と同様に、下段部材６を支柱１Ｌ，１Ｒに固定する固定状態と、支柱１Ｌ，１Ｒに対する下段部材６のスライド移動を許容する非固定状態とを形成可能である。操作部に手指などを挿入し、付勢バネの付勢力に抗して下段ロック部７Ｌ，７Ｒを移動させる。これにより、凹部７２（図５参照）は突起１２から離れ、非固定状態が形成される。
【００３２】
下段部材６の支柱１Ｌ側に位置する端部は、支柱１Ｌのガイドレール１１を挟持しており、下段部材６の支柱１Ｒ側に位置する端部は、支柱１Ｒのガイドレール１１を挟持している。当該挟持によって、下段部材６は支柱１Ｌ，１Ｒに対してスライド移動することができる。下段ロック部７Ｌ，７Ｒに関するさらなる説明は、上段ロック部５Ｌ，５Ｒと同様であるため、ここでは繰り返さないものとする。
【００３３】
（シート部材８）
図１に示すように、シート部材８は、一対の支柱１Ｌ，１Ｒと上段部材４と下段部材６との内側に形成される空間を覆うように配置され、シート部材８の一端が上段部材４に取り付けられ、シート部材８の他端は下段部材６に取り付けられている。シート部材８は、メッシュ形状を有していてもよいし、遮光性を有するカーテンの構成を有していてもよいし、レース状のカーテンの構成を有していてもよい。
【００３４】
図４は、図１中のＩＶ−ＩＶ線に沿った矢視断面図であり、図５は、図１中のＶ−Ｖ線に沿った矢視断面図である。図１、図４、図５に示すように、本実施の形態のシート部材８は、ロール式カーテンから構成されている。ロール式カーテンは、シート部材８を必要な長さに設定することが可能である。シート部材８は、じゃばら式の部材から構成されていても構わないが、ロール式カーテンは、すっきりとした美観を有しており、じゃばら式の部材に比べてほこり等がたまりにくいというメリットがある。
【００３５】
ロール式カーテン（シート部材８）は、上段部材４に取り付けられる固定端８Ａ（図４）と、下段部材６に設けられた巻き取り部８Ｂ（図５）とを有している。ロール式カーテンの固定端８Ａの側には、面ファスナー９（図４）が設けられている。ロール式カーテンの固定端８Ａの側は、袖形状を呈するように折り返される。面ファスナー９は、たとえばマジックテープ（登録商標）から構成され、面ファスナー９によって袖形状が保持され、袖形状の内側に上段部材４が挿通されている。
【００３６】
図６は、下段部材６および巻き取り部８Ｂを模式的に示す斜視図である。本実施の形態の下段部材６は、固定軸６Ｍと、固定軸６Ｍの外周側に配置される回転軸６Ｎと、を有している。固定軸６Ｍは、支柱１Ｌ，１Ｒに下段ロック部７Ｌ，７Ｒを介して固定されており、シート部材８（ロール式カーテン）の高さ寸法を調節したとしても回転することはない。
【００３７】
回転軸６Ｎは、固定軸６Ｍに対して回転可能であり、回転軸６Ｎの周囲にシート部材８が複数回にわたって巻き付けられている（図５参照）。回転軸６Ｎの内部には、回転軸６Ｎを付勢し、シート部材８を巻き取る方向に回転軸６Ｎを回転させるスプリング（図示せず）が配置されている。回転軸６Ｎと、このスプリングとによって、巻き取り部８Ｂが構成されている。
【００３８】
図５および図６に示すように、下段部材６の固定軸６Ｍには、ストッパ溝６Ｇが設けられている。ストッパ溝６Ｇは、固定軸６Ｍの周方向に沿って延びる溝部６Ｇ１と、固定軸６Ｍの軸方向に対して平行な方向に延びる複数の溝部６Ｇ２とを有している。複数の溝部６Ｇ２は、周方向において等角度の間隔を空けて並ぶように配置されており、複数の溝部６Ｇ２の端部は、いずれも溝部６Ｇ１に接続されている（図６参照）。
【００３９】
巻き取り部８Ｂは、ストッパ溝６Ｇの溝部６Ｇ２に係脱可能なストッパ金具６Ｓを有している。ストッパ金具６Ｓは、回転軸６Ｎの端面６Ｕからストッパ溝６Ｇの位置に向かって突出するように配置されており、回転軸６Ｎと一体的に周方向に回転移動可能である。
【００４０】
ストッパ金具６Ｓは、全体として略Ｌ字形状を有しており、その先端部６Ｑがストッパ溝６Ｇの溝部６Ｇ２（図６）に係止することによって（図６に示す状態が形成されることによって）、巻き取り部８Ｂ（回転軸６Ｎ）の固定軸６Ｍに対する回転が規制される。上段部材４の高さおよび下段部材６の高さを調整した際、これらの間の間隔によっては、シート部材８の長さが足りなくなったり、あるいは、シート部材８の長さが余ってシート部材８が撓んでしまったりすることがある。
【００４１】
シート部材８の長さを適正値とするためには、ストッパ金具６Ｓの先端部６Ｑを溝部６Ｇ１まで引き出し、ストッパ金具６Ｓの溝部６Ｇ２に対する係合状態を解除し、回転軸６Ｎを固定軸６Ｍに対して回転可能とする。この状態で、シート部材８の長さを調整する。その後、ストッパ金具６Ｓの先端部６Ｑを、ストッパ溝６Ｇの溝部６Ｇ２の内端面６Ｔ（図６）に向かって移動させる（矢印ＤＲ）。
【００４２】
巻き取り部８Ｂの回転が規制されることで、シート部材８の適正長さが保持され、その後にシート部材８の長さが足りなくなったり、あるいは、シート部材８の長さが余ってシート部材８が撓んでしまったりすることを防止できる。図５に示すように、このような機能を有するストッパ金具６Ｓは、１つ設けられていてもよいが、１８０°の間隔で２つ設けられていてもよいし、あるいはそれ以上の個数で設けられていてもよい。
【００４３】
（設置態様１）
図７を参照して、上段ロック部５Ｌ，５Ｒを操作して非固定状態とすることで、上段部材４を支柱１Ｌ，１Ｒの上端付近にまでスライド移動させることができる。その後、上段ロック部５Ｌ，５Ｒを操作して固定状態とすることにより、上段部材４を支柱１Ｌ，１Ｒの上端付近に固定することができる。
【００４４】
同様に、下段ロック部７Ｌ，７Ｒを操作して非固定状態とすることで、下段部材６を支柱１Ｌ，１Ｒの下端付近にまでスライド移動させることができる。その後、下段ロック部７Ｌ，７Ｒを操作して固定状態とすることにより、下段部材６を支柱１Ｌ，１Ｒの下端付近に固定することができる。
【００４５】
上段部材４や下段部材６を移動させる際に、シート部材８の長さ（巻き取られていない部分の長さ）が足りない場合には、ストッパ金具６Ｓを操作して、巻き取り部８Ｂを回転可能にする。これにより、シート部材８が巻き取り部８Ｂから引き出されることとなり、シート部材８の長さを最適化できる。その後、ストッパ金具６Ｓを操作して、シート部材８の長さを固定する。
【００４６】
天井２１、壁面２２、床面２３、壁面２４の間に形成された通路は、設置態様１のように設置された仕切り柵１０によって仕切られることとなり、この通路を介した通行は遮られることとなる。シート部材８の表面には、必要に応じて「通行止め」や「実験中（試験中）」といった標識を付していても構わない。デザイン性を有する絵柄を印刷しておくことで、目隠し効果だけでなく、使用者に美観を提供することも可能となる。
【００４７】
（設置態様２）
図８に示すように、必要に応じて、上段ロック部５Ｌ，５Ｒおよび下段ロック部７Ｌ，７Ｒを操作して非固定状態とし、上段部材４および下段部材６の両方を、支柱１Ｌ，１Ｒの下端付近にまでスライド移動させても構わない。天井２１、壁面２２、床面２３、壁面２４の間に形成された通路は、容易に通行したり、物品を運んだりすることが可能となる。これは、ペットや幼児などが不在にしている場合などにも有効に活用できる設置態様である。
【００４８】
設置態様２においては、上段部材４、下段部材６およびシート部材８が、一定の高さを有する障害物を足元に形成している。このような設置態様２も、目的に応じて十分に活用できるものである。ところが、通行する人はこの障害物を跨ぐ必要があり、つま先などをこの障害物にひっかけてしまう可能性がある。
【００４９】
（設置態様３）
図９に示すように、本実施の形態の仕切り柵１０によれば、上段ロック部５Ｌ，５Ｒおよび下段ロック部７Ｌ，７Ｒを操作して非固定状態とし、上段部材４および下段部材６の両方を、支柱１Ｌ，１Ｒの上端付近にまでスライド移動させても構わない。天井２１、壁面２２、床面２３、壁面２４の間に形成された通路は、足元に障害物が存在していないという点において、設置態様２（図８）に比べて容易に通行したり、物品を運んだりすることが可能となる。設置態様３の場合、車椅子による通行も実現可能であり、床面２３を容易に掃除することも可能となる。
【００５０】
［実施の形態の変形例］
上述の実施の形態においては、支柱１Ｌ，１Ｒの上端に圧接部２Ｌ，２Ｒが設けられ、支柱１Ｌ，１Ｒの下端に圧接部３Ｌ，３Ｒが設けられている。このような構成に限られず、図１０に示すように、支柱１Ｌ，１Ｒの上端の外側に圧接部２Ｌ，２Ｒが設けられ、支柱１Ｌ，１Ｒの下端の外側に圧接部３Ｌ，３Ｒが設けられていてもよい。
【００５１】
圧接部２Ｌ，２Ｒ，３Ｌ，３Ｒは、これらそのものが必須の構成ではなく、支柱１Ｌ，１Ｒが直接的に床面２３、壁面２２，２４等に、ボルトやネジ、接着剤などによって固定されていてもよい。支柱１Ｌ，１Ｒは、これら自体で自立可能な構成を有していても構わない。
【００５２】
上述の実施の形態においては、上段部材４および下段部材６の全体長さを調整することが可能である。この構成は必要に応じて採用することが可能である。なお、上段部材４および下段部材６の全体長さを調整可能な構成によれば、仕切り柵１０の幅を調整可能となる。上段部材４および下段部材６の全体長さ（支柱１Ｌ，１Ｒの間の間隔）に応じて、最適な幅寸法を有するシート部材８を選択して使用してもよい。
【００５３】
上述の実施の形態においては、ロール式カーテン（シート部材８）の固定端８Ａが上段部材４に取り付けられ（図４）、巻き取り部８Ｂが下段部材６に設けられている（図５，図６）。この構成によれば、上段部材４および下段部材６が上方に配置された際に、下段部材６に設けられているストッパ金具６Ｓにアクセスしやすくなる。このような構成に限られず、必要に応じて、ロール式カーテン（シート部材８）の固定端８Ａが下段部材６に取り付けられ、巻き取り部８Ｂが上段部材４に設けられていても構わない。必要に応じて、上段部材４および下段部材６の両方に、ロール式カーテン（シート部材８）の巻き取り部８Ｂが設けられていても構わない。
【００５４】
上述の実施の形態においては、支柱１Ｌ，１Ｒが壁面２２，２４の内側（通路側）に配置されている。建物を作る際に、支柱１Ｌ，１Ｒが壁面２２，２４と面一になるように、支柱１Ｌ，１Ｒを壁の凹部に埋め込むように配置しても構わない。天井２１や床面２３に、いわゆる戸袋のような凹部を設けて、その凹部の中に、上段部材４、下段部材６およびシート部材８を収容可能にしてもよい。必要に応じて、無駄な出っ張りが生じない構成とすることができ、フリーアクセスが可能となり、車いすを使用する方の家庭や施設にも活用できる。
【００５５】
制御システムを組み合わせることにより、上段部材４や下段部材６の高さをリモートコントロールすることも可能である。たとえば、両手が塞がった状態でも、ボタンを押すだけで上段部材４や下段部材６の位置を変更でき、設置態様１〜３の状態を容易に形成することが可能となり、高い利便性を発揮することができる。
【００５６】
以上、実施の形態について説明したが、上記の開示内容はすべての点で例示であって制限的なものではない。本発明の技術的範囲は特許請求の範囲によって示され、特許請求の範囲と均等の意味および範囲内でのすべての変更が含まれることが意図される。
【符号の説明】
【００５７】
１Ｌ，１Ｒ  支柱、２Ｌ，２Ｒ，３Ｌ，３Ｒ  圧接部、４  上段部材、４Ａ，６Ａ  小径部、４Ｂ，６Ｂ  大径部、４Ｔ  端部、５Ｌ，５Ｒ  上段ロック部、６  下段部材、６Ｇ２，６Ｇ１  溝部、６Ｇ  ストッパ溝、６Ｍ  固定軸、６Ｎ  回転軸、６Ｑ  先端部、６Ｓ  ストッパ金具、６Ｔ  内端面、６Ｕ  端面、７Ｌ，７Ｒ  下段ロック部、８  シート部材、８Ａ  固定端、８Ｂ  巻き取り部、９  面ファスナー、１０  仕切り柵、１１  ガイドレール、１２  突起、２１  天井、２２，２４  壁面、２３  床面、５１  挟持部、５２，７２  凹部、５３  操作部、５４  付勢バネ。
【図１】
2018003487.tif 000003
【図２】
2018003487.tif 000004
【図３】
2018003487.tif 000005
【図４】
2018003487.tif 000006
【図５】
2018003487.tif 000007
【図６】
2018003487.tif 000008
【図７】
2018003487.tif 000009
【図８】
2018003487.tif 000010
【図９】
2018003487.tif 000011
【図１０】
2018003487.tif 000012